(57)【特許請求の範囲】
【請求項１】
マットをカーペットに固定する留め具において、
雄側小孔（３０）と係止リング（３１）を含むベース要素（２）であって、前記雄側小孔（３０）が、フランジ（３２）と、環状溝（４０）が設けられ前記フランジ（３２）の第１の面から突出するマッシュルーム形状のヘッド（３３）と、前記第１の面に対向する前記フランジ（３２）の第２の面に配置されたスカート（３４）とを有し、前記フランジ（３２）は前記カーペット（４）の第１の面に対して位置するように適合され、前記係止リング（３１）が、前記第１の面に対向する前記カーペット（４）の第２の面に対して位置するように適合されたフランジ（４２）を有し、前記スカート（３４）と前記リング（３１）が前記フランジ（３２、４２）間に前記カーペット（４）を挟むための相互取付手段（４１、４３）を含む、前記ベース要素（２）と、
雌側小孔（５）とキャップ（６）を含む雌形要素（３）であって、前記雌側小孔（５）は、環状リブ（８）と、前記環状リブ（８）の一端の周りに半径方向に延び、前記マット（２６）の第１の面に対して位置するように適合されたフランジ（７）とを有し、前記キャップ（６）は、スカート（２３）と、該スカート（２３）から突出し前記第１の面に対向する前記マット（２６）の第２の面に対して位置するように適合されたフランジ（２２）とを有し、前記環状リブ（８）および前記スカート（２３）は、前記マット（２６）をそれらの前記それぞれのフランジ（７、２２）の間に挟む相互取付手段（１８、２４）を含んで成る前記雌形要素（３）とを具備し、
前記雌形要素（３）は、前記ベース要素（２）から離れて配置される解放位置と、前記ベース要素（２）の前記ヘッド上に取り付けられる固定位置とを有しており、
前記雌形要素（３）は、前記環状リブ（８）の内部表面（９）に、内側に突出する少なくともふたつのスタッド（１０）と、変形可能なアーム（１１）とを含み、前記アームの各々は、ふたつの連続するスタッド（１０）の間に、前記雌形要素（３）を前記解放位置から前記固定位置に押す方向に対して横方向に延び、前記アーム（１１）は、前記雌形要素（３）が前記ベース要素（２）上の固定位置にあるとき前記環状溝（４０）に配置された中心部（１９）を有し、前記アーム（１１）の各々は、押している間、離れて移動して前記環状溝（４０）に設置されるように変形されるよう適合されることを特徴とする前記留め具。
【請求項２】
前記マッシュルーム形状のヘッド（３３）は、前記環状溝（４０）を画成するキャップ（３６）とベース（３５）とを含むことを特徴とする請求項１に記載の留め具。
【請求項３】
前記雌側小孔（５）において、前記アーム（１１）が前記フランジ（７）と実質的に同じレベルで配置されることを特徴とする請求項２に記載の留め具。
【請求項４】
前記スタッド（１０）の各々は、前記内部表面（９）と平行でかつ該内部表面（９）と距離をあけて配置する前面（１２）と、前記フランジ（７）に隣接する横表面（１４）とを有し、前記前面（１２）と前記横表面（１４）で形成される角は丸みを帯びていることを特徴とする請求項３に記載の留め具。
【請求項５】
前記内部表面（９）と前記前面（１２）の間の前記スタッド（１０）のそれぞれの厚さは、前記ヘッド（３３）が前記雌形要素（３）が通過する際に前記解放位置から前記固定位置になるように決定されることを特徴とする請求項４に記載の留め具。
【請求項６】
前記スタッド（１０）の各々は、ふたつの側面（１７）を有し、それぞれが前記環状リブ（８）の前記内部表面（９）と前記前面（１２）の間に配置され、前記アーム（１１）の各々が前記側面（１７）のひとつの各端で定着されることを特徴とする請求項４または５に記載の留め具。
【請求項７】
各々の前記アーム（１１）の各端は、その端が定着される前記側面（１７）に隣接する前記内部表面（９）の一部に更に定着されることを特徴とする請求項６に記載の留め具。
【請求項８】
前記雌側小孔（５）はひとつの部品であることを特徴とする請求項１〜７の何れか１項に記載の留め具。
【請求項９】
前記キャップ（６）の前記スカート（２３）の内側表面と前記雌側小孔（５）の前記環状リブ（８）の外側表面はそれぞれ、前記雌形要素（３）の前記相互取付手段に属する一連のノッチ（１８、２４）を有することを特徴とする請求項１〜８の何れか１項に記載の留め具。
【請求項１０】
前記アーム（１１）の各々は、半月状の横断面を有し、該面は、前記内部表面（９）に面する断面では直線であり、前記直線の面に対向して配置された断面では湾曲していることを特徴とする請求項１〜９の何れか１項に記載の留め具。
【請求項１１】
前記雌側小孔（５）は、前記環状リブ（８）の前記内部表面（９）に、規則的に配置された３つのスタッド（１０）を含むことを特徴とする請求項１〜１０の何れか１項に記載の留め具。
【請求項１２】
前記アーム（１１）の各々はわずかに湾曲し、その凸側が前記内部表面（９）に面することを特徴とする請求項１１に記載の留め具。
【請求項１３】
前記リング（３１）の前記フランジ（４２）は中心オリフィスの周りで延び、前記リング（３１）は、前記中心オリフィスと接する周辺に、内側に突出した尖った端を有する一連の歯（４３）を有し、前記雄側小孔（３０）の前記スカート（３４）の外部表面は、互いに並列に、前記フランジ（３２）に向かって延びる複数のノッチ（４１）を有し、前記ベース要素（２）の前記相互取付手段は、前記歯（４３）と前記ノッチ（４１）を含むことを特徴とする請求項１〜１２の何れか１項に記載の留め具。
【請求項１４】
前記係止リング（３１）と、前記雄側小孔（３０）と、前記雌側小孔（５）と、前記キャップ（６）は、それぞれプラスチック材料で一体に成形されていることを特徴とする請求項１〜１３の何れか１項に記載の留め具。
【請求項１５】
マットをカーペットに固定する留め具であって、
マットを間に挟むキャップおよび雌側小孔を有する雌形要素と、
前記雌形要素と係合可能であり、カーペットを保持するカーペット保持配置を含むベース要素とを備え、
前記ベース要素は、環状溝が設けられた拡大ヘッドを備え、
前記雌側小孔は、
内側に突出する少なくともふたつのスタッドと、
ふたつの隣接するスタッドの間に、前記ベース要素のヘッドを前記雌側小孔内に押す方向に対して横方向にそれぞれが延びる、変形可能なアームを備え、前記アームの各々は、
前記雌形要素が前記ベース要素に係合されるとき前記環状溝に配置される中心部を有することを特徴とする前記留め具。
【発明の詳細な説明】
【技術分野】
【０００１】
本発明は、特に自動車車両内において、マットをカーペットに固定するための留め具に関する。
【背景技術】
【０００２】
この種の従来の留め具は、カーペットを挟み込むベース要素と、マットを挟み込む雌形要素とを備える。ベース要素は、カーペットから突出するヘッドを有し、雌形要素は、ベース要素のヘッドと協働してマットをカーペットに固定するようになっている。
【０００３】
DE 19617408には、そのような留め具が記載されている。ベース要素のヘッドは、肩部を有しマッシュルーム形状をしている。雌形要素が一連の歯を有しており、その一端は雌形要素の他の部分に連結され、自由端の方はフック形をしている。この歯の高さは、収縮自在になっている。雌形要素がベース要素の方に移動し、従って歯がヘッドの方に移動すると、自由端が押し戻されて肩部に配置される。
【発明の概要】
【発明が解決しようとする課題】
【０００４】
開示される実施の形態は、性能を向上した留め具を提供することを目的とする。
【課題を解決するための手段】
【０００５】
ひとつの実施の形態では、マットをカーペットに固定する留め具は、雄側小孔と係止リングを含むベース要素であって、前記雄側小孔が、フランジと、環状溝が設けられ前記フランジの第１の面から突出するマッシュルーム形状のヘッドと、前記第１の面に対向する前記フランジの第２の面に配置されたスカートとを有し、前記フランジは前記カーペットの第１の面に対して位置するように適合され、前記係止リングが、前記第１の面に対向する前記カーペットの第２の面に対して位置するように適合されたフランジを有し、前記スカートと前記リングが前記フランジ間に前記カーペットを挟むための相互取付手段を含む、前記ベース要素と、
【０００６】
雌側小孔とキャップを含む雌形要素であり、前記雌側小孔は、環状リブと、前記環状リブの一端の周りに半径方向に延び、前記マットの第１の面に対して位置するように適合されたフランジとを有し、前記キャップは、スカートと、該スカートから突出し前記第１の面に対向する前記マットの第２の面に対して位置するように適合されたフランジとを有し、前記環状リブおよび前記スカートは、前記マットをそれらの前記それぞれのフランジの間に挟む相互取付手段を含んで成る前記雌形要素とを具備し、
前記雌形要素は、前記ベース要素（２）から離れて配置される解放位置と、前記ベース要素の前記ヘッド上に取り付けられる固定位置とを有しており、
【０００７】
前記雌形要素は、前記環状リブの内部表面に、内側に突出する少なくともふたつのスタッドと、変形可能なアームとを含み、前記アームの各々は、ふたつの連続するスタッドの間に、前記雌形要素を前記解放位置から前記固定位置に押す方向に対して横方向に延び、前記アームは、前記雌形要素が前記ベース要素上の固定位置にあるとき前記環状溝に配置された中心部を有し、前記アームの各々は、押している間、離れて移動して前記環状溝に設置されるように変形されるよう適合されることを特徴とする。
【０００８】
アームは、雌形要素の他の部分に両端で取り付けられるが、押されてアームがヘッドに触れるとすぐに、変形してリブの内部表面に向かって中心部が移動するように、それらが位置する平面で変形するよう適合される。一度ヘッドを過ぎると、アームの中心部は静止位置を取り戻し、環状溝に落ち着く。
【０００９】
アームの厚さは、このようにベース要素のヘッドにおける溝の厚さに制限され、留め具の一般的な厚さに制限するのを助ける。固定するには、アームをわずかに変形させれば十分であり、これは引き抜き力を十分に高く保ったまま、最小の力を要求する。
【００１０】
製造と使用のための特に単純かつ便利な実装上の特徴によれば、
−前記マッシュルーム形状のヘッドは、前記環状溝を画成するキャップとベースとを含み、
−前記雌側小孔において、前記アームが前記フランジと実質的に同じレベルで配置され、
【００１１】
−前記スタッドの各々は、前記内部表面と平行でかつ該内部表と距離をあけて配置する前面と、前記フランジに隣接する横表面とを有し、前記前面と前記横表面で形成される角は丸みを帯び、
【００１２】
−前記内部表面と前記前面の間の前記スタッドの厚さは、前記ヘッドが、前記雌形要素が前記解放位置から前記固定位置へ通過する際に前記前面の間を接線方向に通過するように決定され、
【００１３】
−前記スタッドの各々は、ふたつの側面を有し、それぞれが前記環状リブの前記内部表面と前記前面の間に配置され、前記アームの各々は、その端部において前記側面の一方に定着され、
−各々の前記アームの各端は、その端が定着される前記側面に隣接する前記内部表面の一部に更に定着され、
【００１４】
−前記雌側小孔はひとつの部品であり、
−前記キャップの前記スカートの内側表面と前記雌側小孔の前記環状リブの外側表面はそれぞれ、前記雌形要素の前記相互取付手段に属する一連のノッチを有し、
【００１５】
−前記アームの各々は、半月状の横断面を有し、該面は、前記内部表面に面する断面では直線であり、前記直線の面に対向して配置された断面では湾曲しており、
−前記雌側小孔は、前記環状リブの前記内部表面の上に、規則的に配置された３つのスタッドを含み、
−前記アームの各々はわずかに湾曲し、その凸側が前記内部表面に面し、
【００１６】
−前記リングの前記フランジは中心オリフィスの周りで延び、前記リングは、前記中心オリフィスと接する周辺に、内側に突出した尖った端を有する一連の歯を有し、前記雄側小孔の前記スカートの外部表面は、互いに並列に、前記フランジに向かって延びる複数のノッチを有し、前記ベース要素の前記相互取付手段は、前記歯と前記ノッチを含み、および／または、
【００１７】
−前記係止リングと、前記雄側小孔と、前記雌側小孔と、前記キャップは、それぞれプラスチック材料で一体に成形されている。
【００１９】
他の実施の形態によれば、マットをカーペットに固定する留め具は、
マットを間に挟むキャップおよび雌側小孔を有する雌形要素と、
前記雌形要素と係合可能であり、カーペットを保持するカーペット保持配置を含むベース要素とを備え、
前記ベース要素は環状溝が設けられた拡大ヘッドを備えており、
【００２０】
前記雌側小孔は、
内側に突出する少なくともふたつのスタッドと、
ふたつの隣接するスタッドの間に、前記ベース要素のヘッドを前記雌側小孔内に押す方向に対して横方向にそれぞれが延びる、変形可能なアームを備え、
【００２１】
前記アームの各々は、前記雌形要素が前記ベース要素に係合されるとき前記環状溝に配置される中心部を有する。
【図面の簡単な説明】
【００２２】
【図１】第１の実施の形態の留め具の斜視図であり、雌形要素はベース要素上の固定位置にある。
【図２】図１の留め具の分解組立図である。
【図３】第１の実施の形態の雌側小孔の斜視図である。
【図４】図３の小孔の底面図である。
【図５】小孔の正面図である。
【図６】図４のVI-VI線に沿った小孔の断面図である。
【図７】第１の実施の形態のキャップの軸方向断面図である。
【図８】第１の実施の形態の雄側小孔の斜視図である。
【図９】図８の雄側小孔の底面図である。
【図１０】雄側小孔の正面図である。
【図１１】図９のXI-XI線に沿った小孔の断面図である。
【図１２】留め具の図１の方向の下側から見た係止リングの正面図である。
【図１３】図１の留め具の軸方向断面図である。
【図１４】固定位置にある第２の実施の形態の分解組立図である。
【図１５】開放位置にある第２の実施の形態ベース要素の斜視図である。
【図１６】固定位置にある第２の実施の形態の左分解組立図である。
【発明を実施するための形態】
【００２３】
開示された実施の形態の特徴と効果は、添付の図面を参照して、好ましいが限定するものではない例を挙げ、以下の記載から明らかになるものである。
図１から図１３の第１の実施の形態では、マット留め具１はベース要素２と雌形要素３を備える。
【００２４】
ベース要素２は、カーペット４内に固定するために設けられたオリフィスの周囲で、カーペット４に固定されるように構成される。
【００２５】
雌形要素３は、雌側小孔５とキャップ６を備える。
留め具１とその様々な部品類は全てプラスチック材料から成形される。
【００２６】
雌側小孔５は、環状リブ８が拡がる周囲に沿って、中心に円形のオリフィスを有する平坦な環状フランジ７を備える。このリブ８はフランジ７の片側にのみある。リブ８の厚みはフランジ７の厚みと同程度のもので、高さはフランジ７の約２倍である。リブ８の内部表面９は滑らかであるのに対し、リブ８の外部表面にはノッチがある（一連のノッチ１８は鋸歯形状を有する）。
【００２７】
リブ８は、フランジ７と反対側の先端部と、フランジ７と同一平面にある基部とを有する。
雌側小孔５は、更に、３つのスタッド１０と３つのアーム１１を備える。
【００２８】
スタッド１０は各々、リブ８の内部表面９に根付いており、３つのスタッド１０は、内部表面９上に規則的に配置される。つまり１２０度の角度間隔で配置される。
スタッド１０は各々、先端部から基端部へと延びる平行六面体形状をしている。
【００２９】
スタッド１０は各々、リブ８と間隔をあけ、リブ８に平行な前面部１２、第１の横表面１３および第２の横表面１４を有し、第２の横表面１４はリブ８の基端部を含む平面内にあるのに対し、第１の横表面１３はリブ８の先端部を含む平面内にある。
前面部１２と横表面１４間に形成される隅部は、各スタッド１０が傾斜１５を有するように、丸みを帯びている。
【００３０】
スタッド１０は各々、表面１３から表面１４の方向に延び、表面１３上に広がるオリフィス１６を備える。このオリフィスは、雌側小孔５を製造するのに使用されるプラスチック材料の量を制限し、対応する比較的厚い領域内に収縮印が形成されるのを防ぎ、スタッド１０がわずかに変形できるようにしている。
【００３１】
最終的には、各スタッド１０は２つの側面１７を備える。
雌側小孔５は、更に３つのアーム１１を有する。各アーム１１は、２つの連続したスタッド１０間に延びる。
【００３２】
アーム１１各々には２つの端部があり、それぞれスタッド１０の側面１７と、側面１７に隣接したリブ８の内側表面９の一部とに根付いている。
【００３３】
アーム１１の厚さは、実質的にフランジ７の厚さに等しく、フランジ７と同じレベルでリブ８により定義される円柱状の空間の内側にある。図１３に見られるように、各アームは、断面で見れば、断面で曲がっている横表面と、断面で平坦であり、リブ８に平行でかつ面する横表面とを備えた半月形状をしている。アーム１１の曲がった表面は、雌側小孔５の軸に面している。
【００３４】
アーム１１の各々は、１つのスタッド１０から隣のスタッド１０へ、殆ど直線的に延びるが、アーム１１の中心部１９が溝８に近接するようにわずかに湾曲している。
【００３５】
図４に見られるように、スタッド１０の３つの前面部１２の内接円２０は、アーム１１には接していない。曲がった表面側でアーム１１の中心部１９は、内接円２０の内側にある。
【００３６】
リブ８の外側表面には、リブ８の全高に亘って延びる一連の重畳された環状ノッチがあり、各ノッチの直径が、先端部から基部の方向に、隣のノッチの開始を定義する肩部のところまで増加するように、各ノッチは傾斜を有している。ここで、高さとは留め具の軸方向のことを言う。
【００３７】
図７を参照すると、キャップ６はフランジ２２と環状のスカート２３を備える。フランジ２２は、硬い円板形状をしており、円形外形の直径はフランジ７の直径に等しい。フランジ２２の厚さは、全体的にフランジ７の厚さに等しい。ここで、フランジ２２は、中心がわずかにドーム状になっている。
【００３８】
環状のスカート２３は、その高さがリブ８の高さに対応し、フランジ２２の凹部表面に根付いている。
スカート２３の内部表面９の直径は、リブ８の外部表面の直径に対応する。
【００３９】
ノッチの４つの連なり２４が、スカート２３の内部表面９に設けられる。この連なり２４は、リブ８のノッチがついた外部表面と協調する傾斜部と肩部の重ね合わせからなる。スカート２３の内部表面９は、ノッチの連なり２４と滑らかな部分が、円周上に交互に配置されている。
【００４０】
図示されていないが、他の実施形態では、ノッチがスカート２３の内部表面９の全周に広がったり、異なる数のノッチの連なり、例えば３つの連なりになってもよい。
【００４１】
キャップ６が、雌側小孔５上に置かれた場合、フランジ７とスカート２３に対して突出しているフランジ２２の環状部は、スカート２３の外側表面とともに、溝２５がマット２６内の円形のオリフィスを縁取っているマット２６の端部を収容するような高さを有する周辺溝２５を形成する。
【００４２】
ベース要素２は、雄側小孔３０と係止リング３１を備える。
雄側小孔３０は、フランジ３２、マッシュルーム形状のヘッド３３およびスカート３４を有する。
【００４３】
フランジ３２は、平坦であり、フランジ７の厚さに相当する厚さがあり、直径はフランジ７の直径よりわずかに小さい。フランジ３２は、雌側小孔５の中央のオリフィスよりも小さい中央の円形オリフィスの周囲に延びている。ヘッド３３は、フランジ３２の１つの側から突出し、この中央のオリフィスの周囲に根付いている。
【００４４】
ヘッド３３の高さは、リブ８の高さに対応する。
ヘッド３３は、フランジ３２の平面に対して横方向に延びる側壁で形成されたベース３５を有する。ベース３５は円柱状で、フランジ３２の厚さと全体的に同程度の高さを有する。
【００４５】
ヘッド３３は、キャップ３６も備える。このキャップは、ベース３５に対して半径方向に突出している。フランジ３２に面するキャップ３６の表面３７は、ベース３５を横断する。
【００４６】
キャップ３６は、平坦な上側表面３８と、下側表面３７を横断する環状側面３９とを有する。上側表面３８と側面３９間に形成される角は、丸みを帯びており、ベース３５とキャップ３６はマッシュルームの形状をしている。表面３７は、キャップ３６とベース３５間に肩部を形成する。
【００４７】
雄側小孔３０は、キャップ３６により境界が設定された環状溝４０、ベース３５およびフランジ３２を有する。
【００４８】
フランジ３２の中央にある円形のオリフィスは、ヘッド３３とキャップ３６の中に延びているので、フランジ３２の厚さと等価なだけの厚さとなる。
【００４９】
スカート３４は、フランジ３２の側面から、ヘッド３３が延びているのとは反対の方向に延びている。
【００５０】
このスカートの高さ３４は、ここではヘッド３３の高さの２倍程度である。円柱形状であり、キャップ３６の外径に全体的に相当する内径を有する。
【００５１】
スカート３４の内部表面は滑らかではあるが、外部表面は、フランジ３２と隣接するその高さの半分の滑らかな表面と、残りの高さには雌側小孔５のリブ８と同様に、連続した傾斜や肩部を備えた表面ノッチ４１がある。傾斜の方向は、フランジ３２に向けて直径が増加する方向である。
【００５２】
スカート３４は、スカート３４の外部の直径方向に相対する２つの部分の各々で平坦部を有する。ノッチ４１はこの平坦部で終端しているので、環状ではなく単にほぼ半円状である。
【００５３】
係止リング３１（図１２）は、雌側小孔５のフランジ７と同様のフランジ４２を備え、雄側小孔３０のスカート３４の外側直径に相当する直径を有した円形のオリフィスの周囲に延びている。
【００５４】
フランジ４２の内側にあるオリフィス周辺に沿って規則的に延びる６つの歯４３が、フランジ４２の片側に根付いている。歯４３の各々は、隣接する歯４３と小さい間隔で隔てられる。歯４３は、フランジ４２の厚さよりもわずかに大きい高さで延びている。歯４３は、フランジ４２の輪郭に従うようにわずかに丸みを帯びている。
【００５５】
歯４３の各々は、リング３１の軸方向を向いた先の尖った部分で終端する。このように歯４３の各々は、平坦でフランジ４２の面と平行で、フランジ４２と対向するエッジ面４４を備える。
【００５６】
歯４３の内部表面、つまりリング３１の軸に面する表面は、傾斜していて表面４４に対して鋭角をなす第１の部分４５を有するが、フランジ４２と同じ側には、歯４３の内側表面がフランジ４２を横断する第２の部分４６を有する。
【００５７】
フランジ４２の内側のオリフィスの直径と、歯４３の先の尖った端部の半径位置は、これらの先の尖った端部が、雄側小孔３０のスカート３４の肩部と傾斜との間に形成された、同様に先の尖った窪み内のノッチ４１間に収容されるように設計される。
【００５８】
係止リング３１がフランジ３２を介し雄側小孔３０と小孔３０とリング３１とに配置されると、スカート３４の部分がフランジ３２と同じ側に配置され、フランジ４２と周辺溝４８はカーペット４内の円形のオリフィスを縁取るカーペット４の端部を収納する。
【００５９】
マット２６とカーペット４にはこの目的のために円形のオリフィスが備えられている。以下、マット２６をカーペット４に固定するための留め具の付けについて説明する。
【００６０】
ベース要素２を付けるために、スカート３４がカーペット４内のオリフィスを通過し、スカート３４と同じ側のフランジ３２の表面が、カーペット４と接触して、雄側小孔３０はカーペット４上に配置される。
【００６１】
厚さ方向では、カーペット４は、スカート３４の外側表面が滑らかな部分を占める。
スカート３４のノッチがついた表面は、カーペット４の反対側から突出し、歯４３がスカート３４のノッチが付いた表面と協調して、カーペット４に対してフランジ４２を位置づけることにより、リング３１はスカート３４に固定される。カーペットの厚さに応じて、歯４３の先の尖った端部は、スカート３４に設けられたノッチの１つまたはそれ以外の中に場所を定める。
【００６２】
従って、ベース要素２の周辺溝４８は、カーペット４内のオリフィスの周辺を収容し、カーペット４はフランジ３２と４２間に挟まれる。
【００６３】
別の実施形態では、係止リング３１はカーペット４内のオリフィスの回りに置かれ、雄側小孔３０はオリフィスの方に移動し、歯４３がスカート３４のノッチ内に配備された状態で、フランジ３２がカーペット４に対して位置づけられるようになるまで、オリフィス、次いでリング３１を介してスカート３４を通過する。
【００６４】
雌側小孔３をマット２６に取り付けるために、フランジ２２がマット２６内のオリフィスの外形に対して配置されるように、つまりフランジ７と２２に挟まれるように、キャップ６のスカート２３はマット２６を通り抜ける。
【００６５】
マット２６内のオリフィスを介して、マット２６の他の側面から見ることにより検証することができるが、一旦キャップ６が正しく配置されれば、リブ８の外側表面にあるノッチと、キャップ６のスカート２３の内側表面９にあるノッチとが協働することにより、リブ８はスカート２３内に圧入される。従って、雌形要素３の周辺溝２５は、マット２６内のオリフィスの周辺を収容する。
【００６６】
マット２６をカーペット４に固定するために、雌形要素３はベース要素２に向かって移動する。雌形要素３は開放位置に来るが、雌形要素がベース要素のヘッドの上に配置されると、そこが固定位置となる。
【００６７】
この移動の最中に、ヘッド３３、アーム１１およびスタッド１０がまず最初に、お互いに接触する。
【００６８】
雌形要素３が、２つの要素２と３に共通の軸に沿ってベース要素２の方に移動すると、アーム１１はヘッド３３のキャップ３６の側面３９と接触する。
【００６９】
前面１２の内接円が、ヘッド３３の最大直径、つまりヘッド３３とベース３５間の肩部のレベルでの直径に対応するように、スタッド１０の前面部１２が配置される。
【００７０】
ヘッド３３に対して前進する際、アーム１１の中心部１９は、キャップ３６の側面３９が丸みを帯びた形状をしているので、わずかに離れて、表面３９の下端で到達する最大間隔に移動する（すなわち、フランジと同じ側にある）。
【００７１】
アーム１１の移動がヘッド３３を越え、ベース３５に面すると、肩部のために、ヘッド３３の全体寸法が減少し、アーム１１は、ヘッド３３の最大直径に対応する直径の円を内接できない休止位置に戻ることができる。従って、アームは環状溝４０内に配置される。
キャップ３６の下部表面３７は平面であり、アーム１１の上部表面には平面部（曲げることにより、断面が半月形状になる前）があり、アーム１１の中心部１９内でお互いに対向位置にあるので、留め具１の軸に沿って引っ張っても、アーム１１を変形することはなく、従って、ベース要素２に対して雌形要素３が引き出されることを防止している。
【００７２】
スタッド１０が、リブ８の全高にわたって延びるので、前面１２はキャップ３６の側面３９の一部と接触したままであり、これが雄側小孔３０に対して雌側小孔５を半径方向に係止する。
【００７３】
２つの要素２と３の軸間のオフセットで、雌形要素３がベース要素２に向かって移動すると、スタッド１０の少なくとも１つが傾斜面１５を介してキャップ３６と接触する。
【００７４】
傾斜１５とキャップ３６のマッシュルーム形状のために、ベース要素２に対して雌形要素３に印加された圧力により、キャップ３６と接触しているスタッド１０が、キャップ３６の周辺に向かって、スタッド１０の前面１２がキャップ３６の側面３９と接触するまで移動する。
【００７５】
そして、スタッド１０各々の前面１２は、横表面３９と接触し、その他の取付プロセスは上述と同じである。
【００７６】
２つのスタッド１０がキャップ３６と接触すると、２つの傾斜１５の効果は、２つのスタッド１０がキャップ３６の周辺方向に向けられるという、前と同様の結果をもたらす。
【００７７】
このような組立の形態により、雌側小孔５を雄側小孔３０に固定する力、つまり雌形要素３をベース要素２に固定する力は、引っ張りに対しては十分な抵抗力が保証されているが、適度のものになる。
【００７８】
雌側小孔５のフランジ７の平面にあり、変形されているアーム１１により、留め具の厚さは限定される。
【００７９】
もし剪断力が留め具１に加わると、スタッド１０の存在が、アーム１１の一方、または両方が潰れるのを防ぎ、雌形要素３を解放させる最後のアーム１１の解放を防ぐ。
【００８０】
図示していないが、実施の形態において、雄側小孔３０をリング３１へ固定し、また、雌側小孔５をキャップ６へ固定するための表面上に設けられたノッチは、形状が異なり、例えばノッチの数が少ないなど数も異なる。
【００８１】
更に別の形態では、ネジ止め固定のための内側と外側のネジ山により、雌側小孔がキャップ６に固定され、雄側小孔はリング３１に固定される。
【００８２】
更に別の形態では、異なる数のスタッドが設けられる。例えば、雌形要素のリブの内側表面９に規則的に配置される４つのスタッドや、２つの直径方向に対向したスタッドがある。スタッドが２つの場合、アームはリブの内側表面の周辺の半分に近い長さがあり、アームの形状は半円に近くなる。
【００８３】
第２の実施形態では、図１４〜図１６に示すように、雌形要素３は、雌側小孔５とキャップ６ａを有し、キャップ６ａは、中央の円形オリフィス６８を備えること以外は、上述の第１の実施形態のキャップ６と同じ構造を有する。
【００８４】
ベース要素２は、フランジ３２、マッシュルーム形状のヘッド３３およびスナップオーバー連結部５０を有する。
フランジ３２は、平坦であり、フランジ７に対応する厚さがあり、直径はフランジ７の直径よりわずかに大きい。
【００８５】
スナップオーバー連結部５０は、フランジ３２の底部に固定された２つの平行な脚５２ａ、５２ｂと、第１の脚５２ａに枢動可能に連結され、スナップ作用により第２の脚５２ｂに係止できるアーム５６を有する。
【００８６】
脚５２ａ、５２ｂの高さは、フロアカーペット４の厚さに対応する。第１の脚５２ａの一端は、フランジ３２の底部に固定される。第１の脚５２ａの他端は、アーム５６の端部に連結される、薄く、柔軟性があり、曲げることが可能な部分５４を有する。
【００８７】
第２の脚５２ｂの一端は、フランジ３２の底部に固定される。第２の脚５２ｂの他端は、弾力のあるフック６４を有する。
【００８８】
ベース要素２をフロアカーペット４に固定するために、アーム５６は第２の脚５２ｂの弾力のあるフック６４と係合可能なループ６２を備える。ループ６２は、上面、左側表面および右側表面の各々に、３つの開口部を有する。上の開口部６６は、特に、アーム５６がフック６４にスナップしてフロアカーペット４を固定する際、弾力のあるフック６４を収容する。
【００８９】
アーム５６には、フロアカーペット４を掴むためにアーム５６の上側表面に配備された複数の歯を有し、アーム５６の底面にその中心線に沿って横方向に固定された強化リブ部材６０を更に有する。いくつかの変形においては、フランジ３２、マッシュルーム形状のヘッド３３、スナップオーバー連結部５０を含むベース要素２の全体が、一体的に成形される。更なる変形例では、ベース要素２が、図１５に示すように開放状態でモールドされ、ベース要素２がカーペット４に設置されるまでは、アーム５６とフック６４はともにスナップされない。
【００９０】
特に、マット２６を固定するための留め具をカーペット４にフィットするために、脚５２ａ、５２ｂがカーペット４内の２つのオリフィスを通った状態で、ベース要素２がカーペット４上に配置される。２つのオリフィス間のカーペット４の部分は、フック６４に係止される場合は、切断されずにアーム５６で掴まれる。アーム５６も、オリフィスの１つを通過する。フランジ３２の下面は、カーペット４と接触する。アーム５６は曲げられて、アーム５６の歯５８をカーペット４の底部と接触させて、カーペット４を動かないようにし、フック６４をループ６２の開口部６６を通過させる。フック６４は、開口部６６の端部によって変形され、フック６４がループ６２の中に完全に収容された後で、はね返り、端部と係合する。その結果、カーペット４はスナップオーバー連結部５０により固定される。
【００９１】
本質的に第１の実施形態に関して議論したように、マット２６は、キャップ６ａと雌側小孔５に挟まれ、雌形要素２は雄形部材要素３上に配置される。ヘッド３３は、マット２６のオリフィスを通過してマット２６上に露出する。
【００９２】
カーペットに固定されるベース要素と、マットに固定される雌形要素を有する留め具について記述したが、この留め具は一般には、他の層に対して層の１つの位置や性質に関する先入観なしに、第１の層に固定されたベース要素と、第２の層に固定された雌形要素に適している。
【００９３】
例示的な実施形態を開示して議論してきたが、他の配置も可能であり、開示された実施形態は、本発明の精神を逸脱しないで、様々な変更、修正、代用を行うことができることは理解されよう。
【図１】
0005395093.tif 000002
【図２】
0005395093.tif 000003
【図３】
0005395093.tif 000004
【図４】
0005395093.tif 000005
【図５】
0005395093.tif 000006
【図６】
0005395093.tif 000007
【図７】
0005395093.tif 000008
【図８】
0005395093.tif 000009
【図９】
0005395093.tif 000010
【図１０】
0005395093.tif 000011
【図１１】
0005395093.tif 000012
【図１２】
0005395093.tif 000013
【図１３】
0005395093.tif 000014
【図１４】
0005395093.tif 000015
【図１５】
0005395093.tif 000016
【図１６】
0005395093.tif 000017